(57)【要約】【課題】簡単に利用することができ、かつ、動きを自然に補助することができるＯ脚・蟹股を調整・矯正する股付き衣類を提供する。【解決手段】少なくとも腰１０Ａから膝１０Ｂまでの下半身を覆い、下腿１０Ｃの下側２／３を覆わないいわゆる六分丈程度の股付き衣類であり、伸縮性生地よりなる本体部１０を備える。本体部１０は、一部に緊締力の強い帯状の緊締部１２を有している。緊締部１２は、恥骨前面１２１Ａから長内転筋に対応して大腿部前側を斜め下方に向かい大腿部外側１２１Ｂまで伸長された第１の緊締部１２１を有している。【選択図】図１
2011202333.tif 000002
【特許請求の範囲】
【請求項１】
少なくとも腰から大腿部の上側１／２までの下半身を覆い、下腿の下側２／３を覆わないＯ脚・蟹股を調整・矯正する股付き衣類であって、
伸縮性生地よりなり、一部に、緊締力の強い帯状の緊締部を有する本体部を備え、
前記緊締部は、恥骨前面から長内転筋に対応して大腿部前側を斜め下方に向かい大腿部外側まで伸長された第１の緊締部を有する
ことを特徴とする股付き衣類。
【請求項２】
前記第１の緊締部は、内側下方に向かって凸状に湾曲していることを特徴とする請求項１に記載の股付き衣類。
【請求項３】
前記第１の緊締部の中心線は、股の高さと膝蓋骨の中心位置の高さとの中間位置の高さにおいて、前側中央ラインから内側中央ラインに向かい１／４以上３／４以下の範囲内の第１領域を通ると共に、前側中央ラインにおいて、前記中間位置の高さから膝蓋骨の中心位置の高さに向かい１／４以上３／４以下の範囲内の第２領域を通ることを特徴とする請求項１または請求項２に記載の股付き衣類。
【請求項４】
前記緊締部は、更に、坐骨結節又は坐骨結節の下近傍から半腱様筋又は半膜様筋に対応して大腿部後側を下方に向かい、脛骨内側課、脛骨粗面、又は脛骨内側課と脛骨粗面との間の領域まで伸長された第２の緊締部を有する
ことを特徴とする請求項１から請求項３のいずれか１に記載の股付き衣類。
【請求項５】
前記緊締部は、更に、転子間稜又は転子間稜の下近傍から大腿部後側を斜め下方に向かい、脛骨内側課、脛骨粗面、又は脛骨内側課と脛骨粗面との間の領域まで伸長された第３の緊締部を有する
ことを特徴とする請求項１から請求項４のいずれか１に記載の股付き衣類。
【請求項６】
前記緊締部は、更に、後側臀部において坐骨結節又は坐骨結節の下近傍を通り、後側から前側に向かって上前腸骨と股関節との間を通り、腹部前面側まで伸長された第４の緊締部を有する
ことを特徴とする請求項１から請求項５のいずれか１に記載の股付き衣類。
【請求項７】
前記本体部の下端部には、脚に締め付ける脚締め付け部が設けられたことを特徴とする請求項１から請求項６のいずれか１に記載の股付き衣類。
【発明の詳細な説明】
【技術分野】
【０００１】
本発明は、筋肉の起始部、停止部に対してできる限りアプローチすることにより、Ｏ脚又は蟹股を調整又は矯正する股付き衣類に関する。
【背景技術】
【０００２】
筋力の衰えたお年寄りや、筋力の弱い女性、又は筋肉の張りが弱い人などは、Ｏ脚又は蟹股になりやすく、それにより関節に無理な力が加わると、脚及び関節に痛みを生じる場合がある。従来、Ｏ脚又は蟹股を調整又は矯正するものとしては、大腿部にテーピングテープを巻き付ける方法などが知られている。
【先行技術文献】
【特許文献】
【０００３】
【特許文献１】国際公開ＷＯ２００４／０９６１０５号公報
【発明の概要】
【発明が解決しようとする課題】
【０００４】
しかしながら、テーピングの場合、テープを巻くのに手間がかかるという問題や、専門知識のない者では巻くのが難しい場合があるという問題があった。また、テーピングで関節を固定すると、関節を動かさない場合は良いが、関節を動かすと無理な力が加わり、関節を痛めやすいという問題もあった。更に、テーピングの場合、内旋又は外旋については、現状の位置での固定で、正常な位置での固定ができにくく、関節を痛めやすいという問題もあった。
【０００５】
なお、特許文献１には、腰部から大腿部の上部までを被覆する本体部に緊締力の強いサポートライン部を設けた股付き衣類が記載されており、サポートライン部は、大腿骨の長手方向の前側ラインよりも外側に対応する位置を下端とし、臀溝の内側端よりも外側に対応する位置を上端として、下端から前側ラインに対応する部分を通り、上端に向けてらせん状に巻かれている。しかし、特許文献１に記載のサポートライン部と、本発明の緊締部とは、配設位置が異なっている。また、特許文献１に記載の股付き衣類は、大腿部の上部までしか被覆していないので、膝関節を内旋させることができないという問題もあった。
【０００６】
本発明は、このような問題に基づきなされたものであり、簡単に利用することができ、かつ、不安定な関節の動きを自然に補助して、筋肉にアプローチすることができるＯ脚・蟹股の調整・矯正用の股付き衣類を提供することを目的とする。
【課題を解決するための手段】
【０００７】
本発明の第１の股付き衣類は、少なくとも腰から大腿部の上側１／２までの下半身を覆い、下腿の下側２／３を覆わないＯ脚・蟹股を調整・矯正するものであって、伸縮性生地よりなり、一部に、緊締力の強い帯状の緊締部を有する本体部を備え、緊締部は、恥骨前面から長内転筋に対応して大腿部前側を斜め下方に向かい大腿部外側まで伸長された第１の緊締部を有するものである。
【発明の効果】
【０００８】
本発明の股付き衣類によれば、恥骨前面から長内転筋に対応して大腿部前側を斜め下方に向かい大腿部外側まで伸長された第１の緊締部を有するようにしたので、第１の緊締部の緊締力により、股関節の内転及び屈曲を補助し、脚を上げた時に自然と股関節を内転させ、その状態で脚を着地させることができる。よって、着用するだけで簡単にＯ脚・蟹股を調整・矯正することができる。
【０００９】
また、この股付き衣類によれば、下腿の下側２／３を覆わないようにしたので、下腿に外的な力が加わらず自然な状態とすることができる。よって、股関節又は膝関節を動かす際に、緊締部で弱った筋肉に対してアプローチすることにより、正常な本来ある位置に戻り、安定して無理な力が加わることを抑制することができる。よって、脚を動かしながら自然にＯ脚・蟹股を調整・矯正することができる。
【００１０】
更に、第１の緊締部を内側下方に向かって凸状に湾曲させるようにすれば、または、第１の緊締部の中心線が、股の高さと膝蓋骨の中心位置の高さとの中間位置の高さにおいて、前側中央ラインから内側中央ラインに向かい１／４以上３／４以下の範囲内の第１領域を通ると共に、前側中央ラインにおいて、前記中間位置の高さから膝蓋骨の中心位置の高さに向かい１／４以上３／４以下の範囲内の第２領域を通るようにすれば、より高い効果を得ることができる。
【００１１】
加えて、坐骨結節又は坐骨結節の下近傍から半腱様筋又は半膜様筋に対応して大腿部後側を下方に向かい、脛骨内側課、脛骨粗面、又は脛骨内側課と脛骨粗面との間の領域まで伸長された第２の緊締部を有するようにすれば、第２の緊締部の緊締力により、膝半屈曲時の下腿内旋及び膝関節内旋を補助し、脚を上げた時に自然と膝関節及び下腿を内旋させ、その状態で脚を着地させることができる。よって、より効果的にＯ脚・蟹股を調整・矯正することができる。
【００１２】
更にまた、転子間稜又は転子間稜の下近傍から大腿部後側を斜め下方に向かい、脛骨内側課、脛骨粗面、又は脛骨内側課と脛骨粗面との間の領域まで伸長された第３の緊締部を有するようにすれば、第３の緊締部の緊締力により、脚を上げた時に、大腿骨上端部が支点となって骨盤が後方に引かれ、骨盤前傾による腰痛を予防することができる。また、股関節の内旋及び内転を正常な位置に調整・矯正することができる。よって、より効果的にＯ脚・蟹股を調整・矯正することができる。
【００１３】
加えてまた、後側臀部において坐骨結節又は坐骨結節の下近傍を通り、後側から前側に向かって上前腸骨と股関節との間を通り、腹部前面側まで伸長された第４の緊締部を有するようにすれば、本体部を臀部に密着させて固定することにより、緊締部の効果を高めることができる。よって、より効果的にＯ脚・蟹股を調整・矯正することができる。
【００１４】
更にまた、本体部の下端部に、脚に締め付ける脚締め付け部を設けるようにすれば、本体部の下端部を脚に密着させて固定することにより、緊締部の効果を高めることができる。よって、より効果的にＯ脚・蟹股を調整・矯正することができる。
【図面の簡単な説明】
【００１５】
【図１】本発明の第１の実施の形態に係る股付き衣類を前から見た構成を表す図である。
【図２】図１に示したＩＩＩ線に沿った構成を説明するための図である。
【図３】図１に示した股付き衣類を後から見た構成を表す図である。
【図４】図１に示した股付き衣類を脇から見た構成を表す図である。
【図５】図１に示した股付き衣類の内股の構成を表す図である。
【図６】Ｏ脚又は蟹股の状態を示す図である。
【図７】図１に示した股付き衣類を着用した状態を表す図である。
【図８】図１に示した股付き衣類を着用した状態を表す他の図である。
【図９】図１に示した股付き衣類を着用した状態を表す更に他の図である。
【図１０】本発明の第２の実施の形態に係る股付き衣類を前から見た構成を表す図である。
【発明を実施するための形態】
【００１６】
以下、本発明の実施の形態について図面を参照して詳細に説明する。
【００１７】
（第１の実施の形態）
図１は、本発明の第１の実施の形態に係る股付き衣類を前から見た構成を表すものであり、図２は図１に示したＩＩＩ線に沿った構成を説明するものであり、図３は後から見た構成を表すものであり、図４は脇から見た構成を表すものであり、図５は内股の構成を表すものである。なお、図１から図５では、対応する人体の骨格を破線により合わせて表している。
【００１８】
この股付き衣類は、少なくとも腰１０Ａから膝１０Ｂまでの下半身を覆い、下腿１０Ｃの下側２／３を覆わないいわゆる五分丈から七分丈程度のものであり、伸縮性生地よりなる本体部１０を備えている。この股付き衣類では、下腿１０Ｃの下側２／３を覆わないことにより、下腿１０Ｃに外的な力を加えずに自然な状態とし、股関節１０Ｄ又は膝関節１０Ｅを動かす際に無理な力が加わることを抑制することができるようになっている。なお、この股付き衣類は、ズボン、スパッツ、ストッキング、サポーター、ガードル、又はインナー等、股付きであれば名称に関係なくどのようなものでもよい。
【００１９】
本体部１０は、少なくとも腰１０Ａから膝１０Ｂまでの下半身を全体にわたって覆う股付きの被覆部１１と、本体部１０の一部に設けられた緊締力の強い帯状の緊締部１２とを有している。被覆部１１は、体を強く締め付けない方が好ましく、体に沿う程度の伸縮性を有する生地により構成することが好ましい。体を自然な状態とし、体を動かす際に無理な力が加わらないようにするためである。緊締部１２は、例えば、被覆部１１よりも強い緊締力を有する生地、パワーネット等により構成され、被覆部１１に対して縫い合わせたり又は貼り合わせることにより配設されている。緊締部１２の幅は、例えば、３ｃｍから８ｃｍ程度であり、全体にわたり同一でもよいが、場所に応じて異なっていてもよい。
【００２０】
緊締部１２は、恥骨前面１２１Ａから長内転筋に対応して大腿部前側を斜め下方に向かい大腿部外側１２１Ｂまで伸長された第１の緊締部１２１を有している。股関節１０Ｄの内転及び屈曲を補助し、脚を上げた時に自然と股関節１０Ｄを内転させるためである。なお、長内転筋は、起始を恥骨前面１２１Ａ、停止を大腿骨粗線の内側唇の中部半分とし、股関節内転及び股関節屈曲の補助を機能とする筋肉である。大腿部外側１２１Ｂというのは、大腿部の上下方向の前側中央ライン１２１Ｃよりも外側（脇側）を言い、前側中央ライン１２１Ｃというは、例えば、前側から見て股関節１０Ｄの中心と膝蓋骨１０Ｆの中心とを通る大腿部の前側に沿った線である。第１の緊締部１２１の下端部は、大腿部の前側中央ライン１２１Ｃを越える位置まで伸長されていればよいが、脇まで伸長されていた方が好ましい。股関節１０Ｄを内転させる力をより強く働かせることができるからである。また、第１の緊締部１２１は、内側下方に向かって凸状に湾曲していることが好ましい。股関節１０Ｄを内転させる力をより強く働かせることができるからである。
【００２１】
更に、例えば図２に示したように、第１の緊締部１２１の中心線が、股の高さＩと膝蓋骨１０Ｆの中心位置の高さＩＩとの中間位置の高さＩＩＩにおいて、前側中央ライン１２１Ｃから内側中央ライン１２１Ｄに向かい、１／４以上３／４以下の範囲内の第１領域１２１Ｅを通るように構成されていれば好ましく、１／３以上２／３以下の範囲内を通るように構成されていればより好ましい。加えて、例えば図１に示したように、第１の緊締部１２１の中心線が、前側中央ライン１２１Ｃにおいて、股の高さＩと膝蓋骨１０Ｆの中心位置の高さＩＩとの中間位置の高さＩＩＩから、膝蓋骨１０Ｆの中心位置の高さＩＩに向かい、１／４以上３／４以下の範囲内の第２領域１２１Ｆを通るように構成されていれば好ましく、１／３以上２／３以下の範囲内を通るように構成されていればより好ましい。股関節１０Ｄを内転させる力をより強く働かせることができるからである。なお、図２は、股の高さＩと膝蓋骨１０Ｆの中心位置の高さＩＩとの中間位置の高さＩＩＩにおいて、大腿部を輪切りにした状態を簡略化して表しており、下が前側、右が内側である。また、第１の緊締部１２１の中心線というのは、第１の緊締部１２１の幅方向における中心位置を結ぶ線である。内側中央ライン１２１Ｄというのは、大腿部の内側中央において上下方向に伸びる線であり、例えば、直立した状態で大腿骨の内側上顆の内転筋結節１２１Ｇを通り大腿部の内側に沿って上下方向に伸ばした線である。
【００２２】
緊締部１２は、また、坐骨結節１２２Ａ又は坐骨結節１２２Ａの下近傍から半腱様筋又は半膜様筋に対応して大腿部後側を下方に向かい、脛骨内側課１２２Ｂ、脛骨粗面１２２Ｃ、又は脛骨内側課１２２Ｂと脛骨粗面１２２Ｃとの間の領域１２２Ｄまで伸長された第２の緊締部１２２を有していることが好ましい。膝半屈曲時の下腿内旋及び膝半屈曲時の膝関節内旋を補助し、脚を上げた時に自然と膝関節１０Ｅ及び下腿１０Ｃを内旋させることができるからである。なお、半腱様筋は、起始を坐骨結節１２２Ａの上内部のくぼみ、停止を脛骨内側面の上部１２２Ｅとし、膝半屈曲時の下腿内旋を機能とする筋肉である。半膜様筋は、起始を坐骨結節１２２Ａの上部及び外側面、停止を脛骨内側課１２２Ｂの内後面とし、膝半屈曲時の膝関節内旋を機能とする筋肉である。第２の緊締部１２２の下端部は、脛骨内側課１２２Ｂよりも脛骨内側課１２２Ｂと脛骨粗面１２２Ｃとの間の領域１２２Ｄまで伸長されていた方が好ましく、脛骨粗面１２２Ｃまで伸長されていればより好ましい。脛骨の前側の方まで巻き回すことにより、膝関節１０Ｅ及び下腿１０Ｃを内旋させる力をより強く働かせることができるからである。
【００２３】
緊締部１２は、更に、転子間稜１２３Ａ又は転子間稜１２３Ａの下近傍から大腿部後側を斜め下方に向かい、脛骨内側課１２２Ｂ、脛骨粗面１２２Ｃ、又は脛骨内側課１２２Ｂと脛骨粗面１２２Ｃとの間の領域１２２Ｄまで伸長された第３の緊締部１２３を有していることが好ましい。脚を上げた時に、大腿骨上端部が支点となって骨盤が後方に引かれ、骨盤前傾による腰痛を予防することができると共に、股関節１０Ｄの内旋及び内転を正常な位置に調整・矯正することができるからである。第３の緊締部１２３の上端部は、転子間稜１２３Ａ又はそれよりも下とし、大転子１２３Ｂまで伸長しないことが好ましい。大転子１２３Ｂまで伸長すると引っ張る強さが強くなりすぎ、大腿骨が外転される恐れがあるからである。第３の緊締部１２３の下端部は、脛骨内側課１２２Ｂよりも脛骨内側課１２２Ｂと脛骨粗面１２２Ｃとの間の領域１２２Ｄまで伸長されていた方が好ましく、脛骨粗面１２２Ｃまで伸長されていればより好ましい。股関節１０Ｄの内旋及び内転を調整・矯正する力をより強く働かせることができるからである。なお、第３の緊締部１２３の下端部は、第２の緊締部１２２の下端部と重なっていてもよく、ずれていてもよい。
【００２４】
緊締部１２は、加えて、後側臀部において坐骨結節１２２Ａ又は坐骨結節１２２Ａの下近傍を通り、後側から前側に向かって上前腸骨１２４Ａと股関節１０Ｄとの間を通り、腹部前面側１２４Ｂまで伸長された第４の緊締部１２４を有していることが好ましい。本体部１０を臀部において密着させて固定することにより、第１の緊締部１２１、第２の緊締部１２２及び第３の緊締部１２３の効果を高めることができるからである。なお、第４の緊締部１２４は、第２の緊締部１２２の上端部又は第３の緊締部１２３の上端部と重なっていてもよい。
【００２５】
本体部１０の下端部には、膝１０Ｂの下において脚に締め付ける脚締め付け部２１が設けられていることが好ましい。本体部１０の下端部を脚に密着させて固定することにより、第１の緊締部１２１、第２の緊締部１２２及び第３の緊締部１２３の効果を高めることができるからである。脚締め付け部２１は、例えば、ゴムなどの伸縮部材により構成するようにしてもよく、面状ファスナーなどにより体に合わせて締め付けるようにしてもよい。本体部１０の上端部には、例えば、腰１０Ａに締め付けて固定するためのゴムなどの伸縮部材よりなる腰締め付け部２２が設けられていてもよい。
【００２６】
図６から図９は、この股付き衣類の機能を説明するためのものであり、図６はＯ脚又は蟹股の状態を表すもの、図７は第１の緊締部１２１を設けた股付き衣類を着用した状態を表すもの、図８は第１の緊締部１２１及び第２の緊締部１２２を設けた股付き衣類を着用した状態を表すもの、図９は更に第３の緊締部１２３を設けた股付き衣類を着用した状態を表すものである。なお、図６から図９において、（Ａ）は直立した状態を表し、（Ｂ）及び（Ｃ）は歩行の状態を表している。また、図７から図９の（Ａ）では、緊締部１２の位置を合わせて示している。
【００２７】
図６に示したように、Ｏ脚又は蟹股の場合、股関節１０Ｄが外転し、下腿１０Ｃ及び膝関節１０Ｅが外旋しており、股が開いて、膝１０Ｂが外を向いた状態となっている。これに対して、第１の緊締部１２１を設けた股付き衣類を着用した場合には、例えば図７に示したように、第１の緊締部１２１の緊締力により、股関節１０Ｄの内転及び屈曲が補助され、脚を上げた時に自然と股関節１０Ｄが内転し、その状態で脚が着地する。よって、股が閉じた状態となる。
【００２８】
また、第１の緊締部１２１に加えて第２の緊締部１２２を設けた股付き衣類を着用した場合には、例えば図８に示したように、第２の緊締部１２２の緊締力により、膝半屈曲時の下腿内旋及び膝関節内旋が補助され、脚を上げた時に自然と膝関節１０Ｅ及び下腿１０Ｃが内旋し、その状態で脚が着地する。よって、膝１０Ｂが前を向いた状態となる。
【００２９】
更に、第１の緊締部１２１及び第２の緊締部１２２に加えて第３の緊締部１２３を設けた股付き衣類を着用した場合には、例えば図９に示したように、第３の緊締部１２３の緊締力により、脚を上げた時に、大腿骨上端部が支点となって骨盤が後方に引かれると共に、股関節１０Ｄの内旋及び内転が正常な位置に調整・矯正される。
【００３０】
このように、本実施の形態に係る股付き衣類によれば、恥骨前面１２１Ａから長内転筋に対応して大腿部前側を斜め下方に向かい大腿部外側１２１Ｂまで伸長された第１の緊締部１２１を有するようにしたので、第１の緊締部１２１の緊締力により、股関節１０Ｄの内転及び屈曲を補助し、脚を上げた時に自然と股関節１０Ｄを内転させ、その状態で脚を着地させることができる。よって、着用するだけで簡単にＯ脚・蟹股を調整・矯正することができる。
【００３１】
また、この股付き衣類によれば、少なくとも腰１０Ａから膝１０Ｂまでの下半身を覆い、下腿１０Ｃの下側２／３を覆わないようにしたので、下腿１０Ｃに外的な力が加わらず自然な状態とすることができる。よって、股関節１０Ｄ又は膝関節１０Ｅを動かす際に、緊締部１２で弱った筋肉に対してアプローチすることにより、正常な本来ある位置に戻り、安定して無理な力が加わることを抑制することができる。よって、脚を動かしながら自然にＯ脚・蟹股を調整・矯正することができる。
【００３２】
更に、第１の緊締部１２１を内側下方に向かって凸状に湾曲させるようにすれば、または、第１の緊締部１２１の中心線が、股の高さＩと膝蓋骨１０Ｆの中心位置の高さＩＩとの中間位置の高さＩＩＩにおいて、前側中央ライン１２１Ｃから内側中央ライン１２１Ｄに向かい１／４以上３／４以下の範囲内の第１領域１２１Ｅを通ると共に、前側中央ライン１２１Ｃにおいて、前記中間位置の高さＩＩＩから膝蓋骨１０Ｆの中心位置の高さＩＩに向かい１／４以上３／４以下の範囲内の第２領域１２１Ｆを通るようにすれば、より高い効果を得ることができる。
【００３３】
加えて、坐骨結節１２２Ａ又は坐骨結節１２２Ａの下近傍から半腱様筋又は半膜様筋に対応して大腿部後側を下方に向かい、脛骨内側課１２２Ｂ、脛骨粗面１２２Ｃ、又は脛骨内側課１２２Ｂと脛骨粗面１２２Ｃとの間の領域１２２Ｄまで伸長された第２の緊締部１２２を有するようにすれば、第２の緊締部１２２の緊締力により、膝半屈曲時の下腿内旋及び膝関節内旋を補助し、脚を上げた時に自然と膝関節１０Ｅ及び下腿１０Ｃを内旋させ、その状態で脚を着地させることができる。よって、より効果的にＯ脚・蟹股を調整・矯正することができる。
【００３４】
更にまた、転子間稜１２３Ａ又は転子間稜１２３Ａの下近傍から大腿部後側を斜め下方に向かい、脛骨内側課１２２Ｂ、脛骨粗面１２２Ｃ、又は脛骨内側課１２２Ｂと脛骨粗面１２２Ｃとの間の領域１２２Ｄまで伸長された第３の緊締部１２３を有するようにすれば、第３の緊締部１２３の緊締力により、脚を上げた時に、大腿骨上端部が支点となって骨盤が後方に引かれ、骨盤前傾による腰痛を予防することができる。また、股関節１０Ｄの内旋及び内転を正常な位置に調整・矯正することができる。よって、より効果的にＯ脚・蟹股を調整・矯正することができる。
【００３５】
加えてまた、後側臀部において坐骨結節１２２Ａ又は坐骨結節１２２Ａの下近傍を通り、後側から前側に向かって上前腸骨１２４Ａと股関節１０Ｄとの間を通り、腹部前面側１２４Ｂまで伸長された第４の緊締部１２４を有するようにすれば、本体部１０を臀部に密着させて固定することにより、緊締部１２の効果を高めることができる。よって、より効果的にＯ脚・蟹股を調整・矯正することができる。
【００３６】
更にまた、本体部１０の下端部に、脚に締め付ける脚締め付け部２１を設けるようにすれば、本体部１０の下端部を脚に密着させて固定することにより、緊締部１２の効果を高めることができる。よって、より効果的にＯ脚・蟹股を調整・矯正することができる。
【００３７】
（第２の実施の形態）
図１０は、本発明の第２の実施の形態に係る股付き衣類の構成を表すものである。この股付き衣類は、第１の実施の形態とは丈の長さ及び緊締部１２の構成が異なることを除き、第１の実施の形態と同様の構成を有している。よって、第１の実施の形態と対応する構成要素には、同一の符号を付し、同一部分についての詳細な説明を省略する。
【００３８】
この股付き衣類は、緊締部１２として第１の緊締部１２１を備え、第２の緊締部１２２及び第３の緊締部１２３を備えないものである。第４の緊締部１２４は備えていてもいなくてもよい。このように、第２の緊締部１２２及び第３の緊締部１２３を備えない場合には、丈の長さを少なくとも腰１０Ａから大腿部の上側１／２までの下半身を覆い、膝１０Ｂから下を覆わない、いわゆる三分丈から五分丈程度としてもよい。被覆部１１は、少なくとも腰１０Ａから大腿部の上側１／２までの下半身を全体にわたって覆うように構成され、脚締め付け部２１は、膝１０Ｂの上方において脚を締め付けるように構成される。この股付き衣類によれば、第１の実施の形態と同様に、第１の緊締部１２１により簡単にＯ脚・蟹股を調整・矯正することができると共に、膝１０Ｂから下を自然な状態とするので、股関節１０Ｄ又は膝関節１０Ｅを動かす際に、正常な本来ある位置に戻すことができ、無理な力が加わることを抑制することができる。
【００３９】
以上、実施の形態を挙げて本発明を説明したが、本発明は上記実施の形態に限定されるものではなく、種々変形可能である。例えば、上記実施の形態では、第１の緊締部１２１、第２の緊締部１２２、第３の緊締部１２３、第４の緊締部１２４を有する場合について説明したが、全てを有していなくてもよく、他の緊締部を有していてもよい。また、上記実施の形態では、本体部１０に加えて、脚締め付け部２１、更には腰締め付け部２２を備える場合について説明したが、備えていなくてもよい。
【産業上の利用可能性】
【００４０】
Ｏ脚又は蟹股を調整又は矯正する股付き衣類に適用することができる。
【符号の説明】
【００４１】
１０…本体部、１０Ａ…腰、１０Ｂ…膝、１０Ｃ…下腿、１０Ｄ…股関節、１０Ｅ…膝関節、１０Ｆ…膝蓋骨、１１…被覆部、１２…緊締部、１２１…第１の緊締部、１２１Ａ…恥骨全面、１２１Ｂ…大腿部外側、１２１Ｃ…前側中央ライン、１２１Ｄ…内側中央ライン、１２１Ｅ…第１領域、１２１Ｆ…第２領域、１２１Ｇ…内転筋結節、１２２…第２の緊締部、１２２Ａ…坐骨結節、１２２Ｂ…脛骨内側課、１２２Ｃ…脛骨粗面、１２２Ｄ…脛骨内側課と脛骨粗面との間の領域、１２２Ｅ…脛骨内側面の上部、１２３…第３の緊締部、１２３Ａ…転子間稜、１２３Ｂ…大転子、１２４…第４の緊締部、１２４Ａ…上前腸骨、１２４Ｂ…腹部全面側、２１…脚締め付け部、２２…腰締め付け部
【図１】
2011202333.tif 000003
【図２】
2011202333.tif 000004
【図３】
2011202333.tif 000005
【図４】
2011202333.tif 000006
【図５】
2011202333.tif 000007
【図６】
2011202333.tif 000008
【図７】
2011202333.tif 000009
【図８】
2011202333.tif 000010
【図９】
2011202333.tif 000011
【図１０】
2011202333.tif 000012